(57)【要約】【課題】過電圧保護回路を用いて電源供給先の電圧低下も検出できるようにする。【解決手段】ベースを抵抗Ｒ２を介してＤＣ／ＤＣコンバーター７３の出力端子に接続すると共に抵抗Ｒ３を介してグランドに接地し、コレクタを抵抗Ｒ１を介してＤＣ／ＤＣコンバーター７２の出力端子に接続し、エミッタをグランドに接地したトランジスターＱ１を配置して電圧低下検出回路７８を形成し、電圧低下検出回路７８におけるトランジスターＱ１のコレクタと抵抗Ｒ１との間の接続点Ｐを過電圧保護回路７６に接続する。これにより、ＤＣ／ＤＣコンバーター７３の出力低下を過電圧保護回路７６を用いて検出することができる。この結果、ＤＣ／ＤＣコンバーター７３の出力低下を検出するために専用の検出回路を別途設けるものに比して、装置をよりコンパクトなものとすることができる。【選択図】図３
2011200064.tif 000002
【特許請求の範囲】
【請求項１】
電源の供給を制御する電源供給制御回路であって、
電圧検出対象に接続された電圧検出用端子を有し、該電圧検出用端子に入力された電圧が閾値を超えたときに前記電源の供給を遮断する電源遮断手段と、
前記閾値を超える電圧の定電圧源と、
第１の電源供給先に接続されたスイッチ制御信号用端子を有し、該スイッチ制御信号用端子に作用する電圧に応じてオンオフするスイッチ素子と、
を備え、
前記定電圧源は、前記スイッチ素子を介して前記電源遮断手段の電圧検出用端子に接続されてなる
ことを特徴とする電源供給制御回路。
【請求項２】
請求項１記載の電源供給制御回路であって、
電源電圧を第１の所定電圧に変換して前記第１の電源供給先に出力する第１の電圧変換回路と、
電源電圧を前記第１の所定電圧よりも高い第２の所定電圧に変換して前記第１の電源供給先とは異なる第２の電源供給先に出力する第２の電圧変換回路と、
を備え、
前記第２の電圧変換回路は、前記定電圧源を兼ねてなる
ことを特徴とする電源供給制御回路。
【請求項３】
請求項１または２記載の電源供給制御回路であって、
前記スイッチ素子は、端子間の接続と遮断とが可能な第１および第２のスイッチ端子を有し、前記第１のスイッチ端子が抵抗を介して前記定電圧源の出力端子に接続され、前記第２のスイッチ端子がグランドに接地され、
前記電源遮断手段は、前記電圧検出用端子が前記抵抗と前記第１のスイッチ端子との間の接続点に接続されてなる
電源供給制御回路。
【請求項４】
前記接続点にコンデンサーが前記スイッチ素子と並列に接続されてなる請求項３記載の電源供給制御回路。
【請求項５】
電気機器に電源を供給する請求項１ないし４いずれか１項に記載の電源供給制御回路であって、
前記第１の電源供給先は、前記電気機器の中央演算処理装置である
電源供給制御回路。
【請求項６】
請求項１ないし５いずれか１項に記載の電源供給制御回路であって、
前記電源遮断手段は、前記第１の電源供給先の電圧を分圧して出力する第１の分圧回路と、前記第１の電源供給先とは異なる第２の電源供給先の電圧を分圧して出力する第２の分圧回路と、前記第１の分圧回路の出力端子に第１のダイオードを介して接続されると共に前記第２の分圧回路の出力端子に第２のダイオードを介して接続された第２のスイッチ制御信号用端子を有する過電圧判定用の第２のスイッチ素子と、を備え、
前記第２のスイッチ素子の第２のスイッチ制御信号用端子に、前記定電圧源が前記スイッチ素子を介して接続されてなる
電源供給制御回路。
【請求項７】
請求項１ないし５いずれか１項に記載の電源供給制御回路であって、
前記電源遮断手段は、前記第１の電源供給先の電圧を分圧して出力する第３の分圧回路と、前記第３の分圧回路の出力端子に第３のスイッチ制御信号用端子が接続された過電圧判定用の第３のスイッチ素子と、前記第１の電源供給先とは異なる第２の電源供給先の電圧を分圧して出力する第４の分圧回路と、前記第４の分圧回路の出力端子に第４のスイッチ制御信号用端子が接続された過電圧判定用の第４のスイッチ素子と、を備え、
前記第３のスイッチ素子の第３のスイッチ制御用信号端子に、前記定電圧源が前記スイッチ素子を介して接続されてなる
電源供給制御回路。
【発明の詳細な説明】
【技術分野】
【０００１】
本発明は、電源の供給を制御する電源供給制御回路に関する。
【背景技術】
【０００２】
従来、この種の電源供給制御回路としては、ＤＣ／ＤＣコンバーター回路と、ＤＣ／ＤＣコンバーター回路の電圧変換を制御する変換制御回路と、ＤＣ／ＤＣコンバーターの出力側に設けられた過電圧保護回路とを備えるものが提案されている（例えば、特許文献１参照）。この装置では、過電圧保護回路が作動すると、変換制御回路に停止信号を出力することにより、ＤＣ／ＤＣコンバーターの電圧変換動作を停止させている。
【先行技術文献】
【特許文献】
【０００３】
【特許文献１】特開平１１−２２０８７１号公報
【発明の概要】
【発明が解決しようとする課題】
【０００４】
ところで、電源供給制御回路では、過電圧保護回路を用いて回路を過電圧から保護することができるが、場合によっては回路内の電圧低下も検出できるようにすることが回路の予期しない誤動作を防止する上で重要となる。この場合、過電圧保護回路では、電圧が閾値を超えているときに作動するものであるから、そのままでは電圧低下を検出することはできない。一方、電圧低下を検出するための専用の回路を設けることも考えられるが、回路が複雑化すると共に大型化してしまう。
【０００５】
本発明の電源供給制御回路は、過電圧保護回路を用いて電源供給先の電圧低下も検出できるようにすることを主目的とする。
【０００６】
本発明の電源供給制御回路は、上述の主目的を達成するために以下の手段を採った。
【課題を解決するための手段】
【０００７】
本発明の電源供給制御回路は、
電源の供給を制御する電源供給制御回路であって、
電圧検出対象に接続された電圧検出用端子を有し、該電圧検出用端子に入力された電圧が閾値を超えたときに前記電源の供給を遮断する電源遮断手段と、
前記閾値を超える電圧の定電圧源と、
第１の電源供給先に接続されたスイッチ制御信号用端子を有し、該スイッチ制御信号用端子に作用する電圧に応じてオンオフするスイッチ素子と、
を備え、
前記定電圧源は、前記スイッチ素子を介して前記電源遮断手段の電圧検出用端子に接続されてなる
ことを要旨とする。
【０００８】
この本発明の電源供給制御回路では、電圧検出対象から電圧検出用端子に入力された電圧が閾値を超えたときに電源の供給を遮断する電源遮断手段と、閾値を超える電圧の定電圧源と、スイッチ制御信号用端子に作用する電圧に応じてオンオフするスイッチ素子と、を設け、定電圧源を、スイッチ素子を介して電源遮断手段の電圧検出用端子に接続する。これにより、電圧検出対象から過電圧を検出して電源を遮断する電源遮断手段を用いて、第１の電源供給先の電圧低下を検出することができる。この結果、回路をよりコンパクトなものとすることができる。
【０００９】
こうした本発明の電源供給制御回路において、電源電圧を第１の所定電圧に変換して前記第１の電源供給先に出力する第１の電圧変換回路と、電源電圧を前記第１の所定電圧よりも高い第２の所定電圧に変換して前記第１の電源供給先とは異なる第２の電源供給先に出力する第２の電圧変換回路と、を備え、前記第２の電圧変換回路は、前記定電圧源を兼ねてなるものとすることもできる。こうすれば、装置をさらにコンパクトなものとすることができる。この態様の本発明の電源供給制御回路において、前記スイッチ素子は、端子間の接続と遮断とが可能な第１および第２のスイッチ端子を有し、前記第１のスイッチ端子が抵抗を介して前記定電圧源の出力端子に接続され、前記第２のスイッチ端子がグランドに接地され、前記電源遮断手段は、前記電圧検出用端子が前記抵抗と前記第１のスイッチ端子との間の接続点に接続されてなるものとすることができる。この場合、前記接続点にコンデンサーが前記スイッチ素子と並列に接続されてなるものとすることができる。こうすれば、電源回路の起動時に第１の電源供給先の電源供給がなされる前に定電圧源が電源遮断手段の電圧検出用端子に作用するのをより確実に抑制することができる。
【００１０】
また、電気機器に電源を供給する本発明の電源供給制御回路において、前記第１の電源供給先は、前記電気機器の中央演算処理装置であるものとすることができる。こうすれば、中央演算処理装置への電源の遮断を検出して他の電源供給先への予期しない誤動作を抑制することができる。
【００１１】
さらに、本発明の電源供給制御回路において、前記電源遮断手段は、前記第１の電源供給先の電圧を分圧して出力する第１の分圧回路と、前記第１の電源供給先とは異なる第２の電源供給先の電圧を分圧して出力する第２の分圧回路と、前記第１の分圧回路の出力端子に第１のダイオードを介して接続されると共に前記第２の分圧回路の出力端子に第２のダイオードを介して接続された第２のスイッチ制御信号用端子を有する過電圧判定用の第２のスイッチ素子と、を備え、前記第２のスイッチ素子の第２のスイッチ制御信号用端子に、前記定電圧源が前記スイッチ素子を介して接続されてなるものとすることもできるし、前記電源遮断手段は、前記第１の電源供給先の電圧を分圧して出力する第３の分圧回路と、前記第３の分圧回路の出力端子に第３のスイッチ制御信号用端子が接続された過電圧判定用の第３のスイッチ素子と、前記第１の電源供給先とは異なる第２の電源供給先の電圧を分圧して出力する第４の分圧回路と、前記第４の分圧回路の出力端子に第４のスイッチ制御信号用端子が接続された過電圧判定用の第４のスイッチ素子と、を備え、前記第３のスイッチ素子の第３のスイッチ制御用信号端子に、前記定電圧源が前記スイッチ素子を介して接続されてなるものとすることもできる。
【図面の簡単な説明】
【００１２】
【図１】本発明の一実施形態であるプリンター２０の外観を示す外観斜視図。
【図２】本実施形態のプリンター２０の機能ブロックを示すブロック図。
【図３】本実施形態の電源管理部７０の構成の概略を示す構成図。
【図４】本実施形態の過電圧保護回路７６の構成の概略を示す構成図。
【図５】変形例の過電圧保護回路７６Ｂの構成の概略を示す構成図。
【図６】変形例の電源管理部７０Ｂの構成の概略を示す構成図。
【図７】図４の回路にダイオードＤ６を配置した場合の回路図。
【図８】図５の回路のダイオードＤ６を配置した場合の回路図。
【発明を実施するための形態】
【００１３】
次に、本発明の実施の形態を図面に基づいて説明する。図１は、本発明の一実施形態であるプリンター２０の外観を示す外観斜視図であり、図２は、本実施形態のプリンター２０の機能ブロックを示すブロック図であり、図３は、電源管理部７０の構成の概略を示す構成図である。
【００１４】
本実施形態のプリンター２０は、印刷機構４０（図２参照）を内蔵しＬ版サイズの用紙に印刷を行なうフォトプリンターとして構成されており、その外観としては、図１に示すように、本体２１の上面には本体２１を持ち運ぶための取っ手２２が、本体２１の背面にはセットした用紙を自動給紙するオートシートフィーダー２３が、本体２１の前面には印刷機構４０により印刷された用紙を保持する排紙トレイ２４と写真や印刷時の設定を確認するための液晶ディスプレイ（ＬＣＤ）２５が、本体２１の側面には電源をオンオフするための電源ボタン２６が、それぞれ設けられている。また、本体２１の前面には、排紙トレイ２４に隣接した位置に赤外線通信ポート２８（受光部）が設けられており、この赤外線通信ポート２８に発光部３０ａを向けてリモートコントロール装置３０を操作することにより、プリンター２０を遠隔操作できるようになっている。なお、リモートコントロール装置３０は、プリンター２０を遠隔操作するためのボタン類として、電源をオンオフするための電源ボタン３１と、印刷中に押されると印刷を中止し写真選択画面で押されると印刷枚数や写真の選択を解除するストップ／設定クリアボタン３２と、トップメニュー画面を表示するためのトップメニューボタン３３と、印刷枚数を設定するための印刷枚数設定ボタン（印刷枚数を１枚ずつ増やすプラスボタンおよび印刷枚数を１枚ずつ減らすマイナスボタン）３４と、項目や設定値を選択するための上下左右ボタン３５と、項目を決定したり次の画面に進むためのＯＫボタン３６と、一つ前の画面に戻る戻るボタン３７と、印刷を開始する印刷ボタン３８と、設定画面を表示する設定ボタン３９などを備える。
【００１５】
印刷機構４０は、図２に示すように、左右方向（主走査方向）にループ状に架け渡されたキャリッジベルト４３により駆動されガイド４２に沿って左右に往復するキャリッジ４１と、キャリッジ４１にシアン・マゼンタ・イエロー・ブラック等の各色のインクを供給するインクカートリッジ４４と、各インクカートリッジ４４から供給された各インクに圧力をかけてノズルから用紙Ｓに向けてインクを吐出する印刷ヘッド４５と、副走査方向に用紙Ｓを搬送する搬送ローラー４６とを備える。インクカートリッジ４４は、印刷機構４０の下方に取り付けられており、インクカートリッジ４４がキャリッジ４１上に搭載されていない、いわゆるオフキャリッジタイプである。印刷ヘッド４５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。
【００１６】
ＬＣＤ２５は、ＬＣＤコントローラー５４による表示制御を受けて文字や図形，記号などを表示する。ＬＣＤ２５は、本実施形態では、９６０ドット×２４０ドットの画素により構成されている。
【００１７】
また、本実施形態のプリンター２０は、その制御系としては、図２に示すように、プリンター全体の制御を司るメインコントローラー６０と、印刷機構４０を制御するプリンターＡＳＩＣ４８と、赤外線通信ポート２８を介して入力した赤外線信号を操作信号として処理する赤外線通信コントローラー５２と、ＬＣＤ２５を表示制御するＬＣＤコントローラー５４と、メモリーカードスロット５６に挿入されたメモリーカードＭＣに対するデータの書き込みや読み出しを制御するメモリーカードコントローラー５８と、装置全体の電源の供給を管理する本発明の電源供給制御回路としての電源管理部７０と、を備え、これらはバス５９を介して互いに電気的に接続されている。電源管理部７０は、交流電圧（例えば、１００Ｖ）を直流電圧Ｖ４２（例えば、４２Ｖ）に変換するＡＣ／ＤＣ電源部９０を介して商用電源に接続されている。なお、ＡＣ／ＤＣ電源部９０は、詳細には図示しないが、商用電源の交流電圧を整流し、スイッチング素子のスイッチングにより直流電圧に変換し、変換した交流電圧をトランスにより降圧して整流と平滑とを行なうスイッチング電源として構成されている。なお、ＡＣ／ＤＣ電源部９０により変換された交流電圧Ｖ４２は、印刷機構４０の駆動系（印刷ヘッド４５やキャリッジベルト４３を駆動するモーター，搬送ローラー４６を駆動するモーターなど）に供給されたり、後述するＤＣ／ＤＣコンバーターによりさらに降圧されて各種コントローラーなどに供給されるようになっている。
【００１８】
メインコントローラー６０は、ＣＰＵ６１を中心とするマイクロプロセッサーとして構成されており、各種処理プログラムや各種データ、各種テーブルなどを記憶するＲＯＭ６２と、一時的にデータを記憶するＲＡＭ６３と、書き換え可能で電源を切ってもデータは保持されるフラッシュメモリー６４と、電源ボタン２６からの操作信号を入力するインターフェース（Ｉ／Ｆ）６５とを備える。このメインコントローラー６０には、メモリーカードスロット５６に挿入されたメモリーカードＭＣから画像ファイルなどを入力したり、赤外線通信コントローラー５２からの操作信号や印刷機構４０の各部からの検出信号などを入力する。また、メインコントローラー６０からは、プリンターＡＳＩＣ４８への指令信号やＬＣＤコントローラー５４への制御信号などを出力する。
【００１９】
電源管理部７０は、図３に示すように、商用電源からＡＣ／ＤＣ電源部９０を介して出力された直流電圧Ｖ４２を直流電圧Ｖ５（例えば、５Ｖ）に変換するＤＣ／ＤＣコンバーター７１と、ＤＣ／ＤＣコンバーター７１からの直流電圧Ｖ５を直流電圧Ｖ３（例えば、３．３Ｖ）に変換してリセット回路６９やメモリーカードＭＣの電源端子などに出力するＤＣ／ＤＣコンバーター７２と、ＤＣ／ＤＣコンバーター７１からの直流電圧Ｖ５を直流電圧Ｖ１（例えば、１．１Ｖ）に変換してメインコントローラー６０のＣＰＵ６１などに出力するＤＣ／ＤＣコンバーター７３と、ＤＣ／ＤＣコンバーター７１からの直流電圧Ｖ５を直流電圧Ｖ２（例えば、１．８Ｖ）に変換してメインコントローラー６０のＲＡＭ６３などに出力するＤＣ／ＤＣコンバーター７４と、ＤＣ／ＤＣコンバーター７１，７２，７３，７４の各出力Ｖ５，Ｖ３，Ｖ１，Ｖ２の過電圧を検出して過電圧信号を出力する過電圧保護回路７６と、過電圧保護回路７６により過電圧が検出されたときにＡＣ／ＤＣ電源部９０を停止させるための電源停止信号を出力する電源制御回路８０と、過電圧保護回路７６を用いてＤＣ／ＤＣコンバーター７３の出力（電圧）低下を検出するための電圧低下検出回路７８と、を備える。なお、リセット回路６９は、詳細には図示しないが、ＤＣ／ＤＣコンバーター７２の出力が停止した場合に、ＡＣ／ＤＣ電源部９０をリセット（電源供給を停止）する回路である。
【００２０】
電圧低下検出回路７８は、図３に示すように、ベースが抵抗Ｒ２を介してＤＣ／ＤＣコンバーター７３の出力端子に接続されると共に抵抗Ｒ３を介してグランドに接地されコレクタが抵抗Ｒ１を介してＤＣ／ＤＣコンバーター７２の出力端子に接続されエミッタがグランドに接地されたトランジスターＱ１（例えば、バイポーラトランジスター）と、トランジスターＱ１のコレクタと抵抗Ｒ１との間の接続点ＰにトランジスターＱ１と並列となるよう接続されたコンデンサＣと、接続点Ｐにアノード側が接続されたダイオードＤとを備える。この接続点Ｐには、ダイオードＤを介して過電圧保護回路７６が接続されており、接続点Ｐの電位を過電圧保護回路７６が検出することによってＤＣ／ＤＣコンバーター７３の出力（電圧）低下を検出する。
【００２１】
図４は、過電圧保護回路７６の構成の概略を示す構成図である。過電圧保護回路７６は、図示するように、ＤＣ／ＤＣコンバーター７１の出力端子（Ｖ５）に接続された直列の抵抗Ｒ５１，Ｒ５２と、ＤＣ／ＤＣコンバーター７２の出力端子（Ｖ３）に接続された直列の抵抗Ｒ３１，Ｒ３２と、ＤＣ／ＤＣコンバーター７４の出力端子（Ｖ２）に接続された直列の抵抗Ｒ２１，Ｒ２２と、ＤＣ／ＤＣコンバーター７３の出力端子（Ｖ１）に接続された直列の抵抗Ｒ１１，Ｒ１２と、抵抗Ｒ５１，Ｒ５２の間の接続点と抵抗Ｒ３１，Ｒ３２の間の接続点と抵抗Ｒ２１，Ｒ２２の間の接続点と抵抗Ｒ１１，Ｒ１２の間の接続点とにそれぞれダイオードＤ５，Ｄ３，Ｄ２，Ｄ１を介してゲートが接続されると共にソースがグランドに接地されたトランジスターＱＦ１（例えば、ＭＯＳＦＥＴ）と、トランジスターＱＦ１のドレインに入力端子が接続されると共に電源制御回路８０に出力端子が接続され入力端子に入力された信号を反転して出力端子に出力するインバーターＩＮ１と、を備える。抵抗Ｒ５１，Ｒ５２は、ＤＣ／ＤＣコンバーター７１の出力Ｖ５がその許容上限電圧を超えたときにトランジスターＱＦ１のゲートに作用する電圧がゲート閾値電圧（トランジスターＱＦ１をスイッチオンするゲート電圧の下限値であり、本実施形態では略２Ｖ）を超えるよう抵抗値が設定された分圧回路であり、抵抗Ｒ３１，Ｒ３２は、ＤＣ／ＤＣコンバーター７２の出力Ｖ３がその許容上限電圧を超えたときにトランジスターＱＦ１のゲートに作用する電圧が上述したゲート閾値電圧を超えるよう抵抗値が設定された分圧回路であり、抵抗Ｒ２１，Ｒ２２は、ＤＣ／ＤＣコンバーター７４の出力Ｖ２がその許容上限電圧を超えたときにトランジスターＱＦ１のゲートに作用する電圧が上述したゲート閾値電圧を超えるよう抵抗値が設定された分圧回路であり、抵抗Ｒ１１，Ｒ１２は、ＤＣ／ＤＣコンバーター７３の出力Ｖ１がその許容上限電圧を超えたときにトランジスターＱＦ１のゲートに作用する電圧が上述したゲート閾値電圧を超えるよう抵抗値が設定された分圧回路である。したがって、ＤＣ／ＤＣコンバーター７１〜７４の各出力Ｖ５，Ｖ３，Ｖ２，Ｖ１のいずれもがそれぞれに定められている許容上限電圧以下のときには、トランジスターＱＦ１をスイッチオフし、ＤＣ／ＤＣコンバーター７１〜７４の各出力Ｖ５，Ｖ３，Ｖ２，Ｖ１のいずれかがそれぞれの許容上限電圧を超えたときには、トランジスターＱＦ１をスイッチオンする。上述したように、トランジスターＱＦ１のソースにはグランドが接地されドレインにはインバーターＩＮ１を介して電源制御回路８０が接続されているから、トランジスターＱＦ１がスイッチオンされると、オン信号（過電圧信号）を電源制御回路８０側に出力し、トランジスターＱＦ１がスイッチオフされると、オフ信号を電源制御回路８０側に出力する。
【００２２】
また、ＤＣ／ＤＣコンバーター７３の出力端子（Ｖ１）は、電圧低下回路７８のダイオードＤのカソード側に接続されており、電圧低下回路７８の接続点Ｐの電位がダイオードＤ，分圧抵抗Ｒ１１，Ｒ２２を順に介してトランジスターＱＦ１のゲートに作用するようになっている。したがって、接続点Ｐの電位がＤＣ／ＤＣコンバーター７３の許容上限電圧以下のときにはトランジスターＱＦ１をスイッチオフして電源制御回路８０側にオフ信号を出力し、接続点Ｐの電圧がＤＣ／ＤＣコンバーター７３の許容上限電圧を超えたときにはトランジスターＱＦ１をスイッチオンして電源制御回路８０側にオン信号（過電圧信号）を出力する。
【００２３】
電源制御回路８０は、図３または図４に示すように、過電圧保護回路７６のインバーターＩＮ１からの信号やメインコントローラー６０のＣＰＵ６１（図３参照）からの電源オンオフ信号などを入力して各信号に応じて出力信号を出力するロジック回路８２と、ロジック回路８２からの出力信号をゲートに入力してオンオフするトランジスターＱＦ６（例えば、ＭＯＳＦＥＴ）と、を備える。ロジック回路８２は、過電圧保護回路７６からオン信号（過電圧信号）が入力されたり、電源オフ信号が入力されると、トランジスターＱＦ６をスイッチオフして電源供給を停止させるためのオン信号（電源停止信号）をＡＣ／ＤＣ電源部９０に出力する。
【００２４】
次に、こうして構成された本実施形態のプリンター２０の動作、特に、電源制御部７０の動作について説明する。いま、ＤＣ／ＤＣコンバーター７４に何らかの異常が生じてその出力に過電圧が生じた場合を考える。この場合、ＤＣ／ＤＣコンバーター７４の出力端子は抵抗Ｒ２１，Ｒ２２からなる分圧回路とダイオードＤ２とを介してトランジスターＱＦ１のゲートに接続されていることから、ＤＣ／ＤＣコンバーター７４の出力の過電圧によりトランジスターＱＦ１をスイッチオンし、トランジスターＱＦ１のドレインからインバーターＩＮ１を介してオン信号（過電圧信号）が電源制御回路８０に出力される。オン信号を入力した電源制御回路８０は、トランジスターＱＦ６をスイッチオフして、ＡＣ／ＤＣ電源部９０に電源停止信号を出力することにより、ＡＣ／ＤＣ電源部９０の電源供給を遮断する。したがって、電源制御部７０に耐圧を超える過電圧が継続して作用するのを抑制することができる。
【００２５】
次に、メインコントローラー６０のＣＰＵ６１に給電するＤＣ／ＤＣコンバーター７３の出力が何らかの異常によりＣＰＵ６１の動作に必要な動作電圧よりも低下した場合を考える。前述したように、電圧低下検出回路７８は、ＤＣ／ＤＣコンバーター７３の出力端子に抵抗Ｒ２，Ｒ３からなる分圧回路を介してトランジスターＱ１のベースが接続され、ＤＣ／ＤＣコンバーター７２の出力端子に抵抗Ｒ１，接続点Ｐを介してトランジスターＱ１のコレクタが接続され、トランジスターＱ１のエミッタが接地されている。また、接続点ＰにはダイオードＤを介してＤＣ／ＤＣコンバーター７３の出力端子が接続され、ＤＣ／ＤＣコンバーター７３の出力端子には分圧抵抗Ｒ１１，Ｒ１２，ダイオードＤ１を介して過電圧保護回路７６のトランジスターＱＦ１のゲートが接続されている。このため、ＤＣ／ＤＣコンバーター７３の出力が正常であれば、トランジスターＱ１のスイッチオンにより接続点Ｐの電位は値０となるから、トランジスターＱＦ１のスイッチオフにより過電圧保護回路７６からは過電圧信号が出力されない（オフ信号が出力される）が、ＤＣ／ＤＣコンバーター７３の出力が低下すると、トランジスターＱ１のスイッチオフにより接続点Ｐの電位はＤＣ／ＤＣコンバーター７２の出力値Ｖ３となるから、トランジスターＱＦ１のスイッチオンにより過電圧保護回路７６からは過電圧信号（オン信号）が出力される。本実施形態では、こうしてＤＣ／ＤＣコンバーター７３の出力低下を過電圧保護回路７６を用いて検出しているのである。なお、過電圧保護回路７６から過電圧信号が出力されると、電源制御回路８０によりＡＣ／ＤＣ電源部９０からの電源供給は遮断されるから、ＣＰＵ６１には電源供給されないが駆動系などに電源供給が継続してなされることによる不都合を抑制することができる。
【００２６】
ここで、本実施形態の構成要素と本発明の構成要素との対応関係を明らかにする。本実施形態の過電圧保護回路７６と電源制御回路８０とが本発明の「電源遮断手段」に相当し、ＤＣ／ＤＣコンバーター７２が「定電圧源」に相当し、電圧低下検出回路７８（トランジスターＱ１）が「スイッチ素子」に相当する。
【００２７】
以上説明した本実施形態の電源供給制御回路によれば、ベースを抵抗Ｒ２を介してＤＣ／ＤＣコンバーター７３の出力端子に接続すると共に抵抗Ｒ３を介してグランドに接地し、コレクタを抵抗Ｒ１を介してＤＣ／ＤＣコンバーター７２の出力端子に接続し、エミッタをグランドに接地したトランジスターＱ１を配置して電圧低下検出回路７８を形成し、電圧低下検出回路７８におけるトランジスターＱ１のコレクタと抵抗Ｒ１との間の接続点Ｐを過電圧保護回路７６のトランジスターＱＦ１のゲートに接続したから、ＤＣ／ＤＣコンバーター７３の出力低下を過電圧保護回路７６を用いて検出することができる。この結果、ＤＣ／ＤＣコンバーター７３の出力低下を検出するために専用の検出回路を別途設けるものに比して、装置をよりコンパクトなものとすることができる。しかも、接続点ＰにトランジスターＱ１と並列にコンデンサーＣを接続したから、ＡＣ／ＤＣ電源部９０の起動時にＤＣ／ＤＣコンバーター７２がＤＣ／ＤＣコンバーター７３よりも早く動作を開始するものとしても、ＤＣ／ＤＣコンバーター７３の出力によりトランジスターＱ１がオフからオンされるまでの期間に亘って接続点Ｐの電位が過電圧保護回路７６を作動させる電位まで上昇しないようにすることができ、過電圧保護回路７６の誤検出をより確実に防止することができる。
【００２８】
上述した実施形態では、電圧低下検出回路７８の接続点Ｐにアノード側が接続されたダイオードＤのカソード側をＤＣ／ＤＣコンバーター７３の出力端子に接続するものとしたが、トランジスターＱ１のオフ時における接続点Ｐの電位が他のＤＣ／ＤＣコンバーターの出力の許容上限電圧を超えるものであればそのＤＣ／ＤＣコンバーターの出力端子に接続するものとしてもよいし、トランジスターＱ１のオフ時における接続点Ｐの電位がトランジスターＱＦ１のゲート閾値電圧を超えるものであればトランジスターＱＦ１のゲートに直接接続するものとしてもよい。
【００２９】
上述した実施形態では、電圧低下検出回路７８と過電圧保護回路７６と電源制御回路８０とをそれぞれ別個の回路として構成するものとしたが、電圧低下検出回路７８と過電圧保護回路７６とを１チップＩＣ化するものとしてもよいし、電圧低下検出回路７８と過電圧保護回路７６と電源制御回路８０とを１チップＩＣ化するものとしてもよい。
【００３０】
上述した実施形態では、電圧低下検出回路７８の接続点Ｐにアノード側が取り付けられたダイオードＤのカソード側にＤＣ／ＤＣコンバーター７３の出力端子（Ｖ１）を直接接続するものとしたが、接続点Ｐの電位（ＤＣ／ＤＣコンバーター７２の出力Ｖ３）がＤＣ／ＤＣコンバーター７３の出力端子に作用することによりＤＣ／ＤＣコンバーター７３の出力供給先であるＣＰＵ６１に悪影響を与える可能性を考慮して、接続点Ｐの電位がＤＣ／ＤＣコンバーター７３の出力端子に作用しないようダイオードＤ６を介在させるものとしてもよい。この変形例の電源管理部７０Ｂを図６に示す。また、図４の回路にダイオードＤ６を配置した場合を図７に、図５の回路にダイオードＤ６を配置した場合を図８にそれぞれ示す。
【００３１】
上述した実施形態では、電圧低下検出回路７８のトランジスターＱ１のコレクタに抵抗Ｒ１を介してＤＣ／ＤＣコンバーター７２の出力端子を接続するものとしたが、ＤＣ／ＤＣコンバーター７２に代えてＤＣ／ＤＣコンバーター７１の出力端子を接続するものとしてもよいし、ＤＣ／ＤＣコンバーター７４の出力端子を接続するものとしてもよいし、別途、ＤＣ／ＤＣコンバーター７２の出力等に相当する定電圧源を設けてこれに接続するものとしても構わない。
【００３２】
上述した実施形態では、過電圧保護回路７６を、ＤＣ／ＤＣコンバーター７１の出力端子とＤＣ／ＤＣコンバーター７２の出力端子とＤＣ／ＤＣコンバーター７４の出力端子とＤＣ／ＤＣコンバーター７３の出力端子とを、それぞれ分圧用の抵抗Ｒ５１，Ｒ５２，抵抗Ｒ３１，Ｒ３２，抵抗Ｒ２１，Ｒ２２，抵抗Ｒ１１，Ｒ１２を介して１つのトランジスターＱＦ１のゲートに接続して構成するものとしたが、これに限られず、図５の変形例の過電圧保護回路７６Ｂに示すように、ＤＣ／ＤＣコンバーター７１の出力端子に分圧用の抵抗Ｒ５１，Ｒ５２を介してゲートが接続されたトランジスターＱＦ５と、ＤＣ／ＤＣコンバーター７２の出力端子に分圧用の抵抗Ｒ３１，Ｒ３２を介してゲートが接続されたトランジスターＱＦ３と、ＤＣ／ＤＣコンバーター７４の出力端子に分圧用の抵抗Ｒ２１，Ｒ２２を介してゲートが接続されたトランジスターＱＦ２と、ＤＣ／ＤＣコンバーター７３の出力端子に分圧用の抵抗Ｒ１１，Ｒ１２を介してゲートが接続されたトランジスターＱＦ１と、を備え、各トランジスターＱＦ５，ＱＦ３，ＱＦ２，ＱＦ１のソースをグランドに接地すると共にドレインをインバーターＩＮ１の入力端子に接続して構成するものとしてもよい。
【００３３】
上述した実施形態では、電圧低下検出回路７８における接続点ＰにコンデンサーＣを接続するものとしたが、コンデンサーＣを省略するものとしてもよい。この場合、ＡＣ／ＤＣ電源部９０の起動時にＤＣ／ＤＣコンバーター７２がＤＣ／ＤＣコンバーター７３よりも早く動作を開始すると、過電圧保護回路７６がＤＣ／ＤＣコンバーター７３の出力低下を誤検出する可能性もあるため、ＤＣ／ＤＣコンバーター７２，７３の起動順を制御するシーケンサーを設けることが望ましい。
【００３４】
上述した実施形態では、電源を供給する本発明の電源供給制御回路をプリンター２０に適用して説明したが、これに限られず、スキャナーやＦＡＸ，パーソナルコンピューター，携帯電話など、電圧検出対象から電圧検出用端子に入力された電圧が閾値を超えたときに過電圧と判定する過電圧検出回路を用いて電源供給先の出力低下を検出するものであれば、他の如何なる機器に適用するものとしてもよい。
【００３５】
なお、本発明は上述した実施形態に何ら限定されることはなく、本発明の技術的範囲に属する限り種々の態様で実施し得ることはいうまでもない。
【符号の説明】
【００３６】
２０  プリンター、２１  本体、２２  取っ手、２３  オートシートフィーダー、２４  排紙トレイ、２５  液晶ディスプレイ、２６  電源ボタン、２８  赤外線通信ポート、３０  リモートコントロール装置、３０ａ  発光部、３１  電源ボタン、３２  ストップ／設定クリアボタン、３３  トップメニューボタン、３４  印刷枚数設定ボタン、３５  上下左右ボタン、３６  ＯＫボタン、３７  戻るボタン、３８  印刷ボタン、３９  設定ボタン、４０  印刷機構、４１  キャリッジ、４２  ガイド、４３  キャリッジベルト、４４  インクカートリッジ、４５  印刷ヘッド、４６  搬送ローラー、４８  プリンターＡＳＩＣ、５２  赤外線通信コントローラー、５４  ＬＣＤコントローラー、５６  メモリーカードスロット、５８  メモリーカードコントローラー、６０  メインコントローラー、６１  ＣＰＵ、６２  ＲＯＭ、６３  ＲＡＭ、６４  フラッシュメモリー、６５  インターフェース（Ｉ／Ｆ）、６９  リセット回路、７０，７０Ｂ  電源管理部、７１〜７４  ＤＣ／ＤＣコンバーター、７６  過電圧保護回路、７８  電圧低下検出回路、８０  電源制御回路、８２  ロジック回路、９０  ＡＣ／ＤＣ電源部、Ｑ１，ＱＦ１〜ＱＦ６  トランジスター、Ｒ１，Ｒ２，Ｒ３，Ｒ１１，Ｒ１２，Ｒ２１，Ｒ２２，Ｒ３１，Ｒ３２，Ｒ５１，Ｒ５２  抵抗、Ｄ，Ｄ１，Ｄ２，Ｄ３，Ｄ５，Ｄ６  ダイオード、Ｃ  コンデンサー、ＩＮ１  インバーター。
【図１】
2011200064.tif 000003
【図２】
2011200064.tif 000004
【図３】
2011200064.tif 000005
【図４】
2011200064.tif 000006
【図５】
2011200064.tif 000007
【図６】
2011200064.tif 000008
【図７】
2011200064.tif 000009
【図８】
2011200064.tif 000010